(57)【要約】【課題】単セルユニット内における酸化ガス又は燃料ガスの流れを単セルユニット全体で均一にして有効な発電面積を向上させる燃料電池を提供する。【解決手段】空気極３１と燃料極３２が設けられたセル板２５を間隙２２を隔てて積層したセルスタック１３と、セルスタック１３の側方から空気１４を供給する酸化ガス供給ユニット１６と、これらのセルスタック１３及び酸化ガス供給ユニット１６を収納するケース１１とを備え、空気極３１が面する間隙２２は、ケース１１内の雰囲気に連通した開放構造に形成され、この開放された間隙２２に酸化ガス供給ユニット１６から空気１４を吹き付け、セルスタック１３の内部に、ケース１１内の雰囲気から遮断された燃料ガス供給流路２８及び排出流路２９を形成した燃料電池である。【選択図】      図１
2004207023.tif 000002
【特許請求の範囲】
【請求項１】
板状の電解質の両面側に空気極と燃料極の電極が設けられたセル板を、その板厚方向に所定の間隙を隔てて積層したセルスタックと、該セルスタックの側方に配設され、前記セル板の電極に向けて第１ガスを供給する第１ガスの供給手段と、これらのセルスタック及び第１ガスの供給手段を収納する収納容器とを備え、
前記空気極又は燃料極のいずれか一方の電極が面する間隙は、収納容器内の雰囲気に連通した開放構造に形成され、この開放された間隙に前記第１ガスの供給手段から第１ガスを吹き付けるように構成する一方、
前記セルスタックの内部に、収納容器内の雰囲気から遮断された第２ガスの供給流路及び排出流路を形成した燃料電池であって、
前記第１ガスが酸化ガス又は燃料ガスのいずれか一方のガスであり、第２ガスがいずれか他方のガスであることを特徴とする燃料電池。
【請求項２】
前記第１ガスを吹き付ける間隙の側面のうち、互いに対向する２方向側の面が開放され、この開放された側面の一方側から第１ガスを吹き付けるように構成したことを特徴とする請求項１に記載の燃料電池。
【請求項３】
前記第１ガスを吹き付ける間隙の側面の全方位が開放され、この開放された側面の一方側から第１ガスを吹き付けるように構成したことを特徴とする請求項１に記載の燃料電池。
【請求項４】
前記第１ガスの供給手段は、セルスタックの周方向に均等な間隔をおいて複数配置されていることを特徴とする請求項１〜３のいずれかに記載の燃料電池。
【請求項５】
前記複数の第１ガスの酸化ガス供給手段は、それぞれ第１ガスを前記セルスタックの中心軸に向けて吹き出すように構成されていることを特徴とする請求項４に記載の燃料電池。
【請求項６】
前記第１ガスの供給手段の吹出方向は、前記セルスタックの中心軸に向かう方向から４５°以内の範囲であることを特徴とする請求項４に記載の燃料電池。
【請求項７】
前記電解質が固体高分子であることを特徴とする請求項１〜６のいずれかに記載の燃料電池。
【請求項８】
前記電解質が固体酸化物であることを特徴とする請求項１〜６のいずれかに記載の燃料電池。
【発明の詳細な説明】
【０００１】
【発明の属する技術分野】
本発明は、固体酸化物型又は固体高分子型の燃料電池に関する。
【０００２】
【従来の技術】
例えばジルコニアを電解質として用いる固体電解質型燃料電池は、発電効率が高く、貴金属触媒が不要であるため、製造コストが安価で取扱いが容易であるなどの有利な特徴を有し、将来性のある燃料電池として期待されている。
【０００３】
しかし、このような固体電解質型燃料電池は、動作温度が８００〜１０００℃と高いためにセラミックが主要な構成材料となっている。このセラミックスは機械的強度は大きい反面、脆く、ガスシールのためにセラミック接着剤などで電池全体を固めると熱応力が発生してシール不良になるなどの問題から大型化が困難である。従って、大出力を必要とする場合にはセルスタック単体を大型化するのではなく、複数の小型のセルスタックを断熱を施したひとつのスタックケース内に設置し電気的に直列、または並列に接続し燃料ガス配管、酸化ガス配管を設けたモジュールとして用いることになる。
【０００４】
これらセルスタックをモジュール内に設置した場合、それぞれのセルスタックに対して燃料ガスの供給と排気、空気等の酸化ガスの供給と排気という合計４系統のガス配管のセルスタックへの接続が必要である。前記固体酸化物電解質型燃料電池には、例えば円筒型セルスタック構造を用いることができ、セルスタックへのガスの供給及び排気には酸化ガスの供給、排気および燃料ガスの供給の３種類のみを行い、使用済みの燃料ガスの排気は直接各単セルユニットからモジュール内に吐き出す構造とすることができる（例えば、特許文献１参照）。
【０００５】
【特許文献１】
特開平５−４７４０９号公報
【０００６】
【発明が解決しようとする課題】
しかしながら、前記従来の技術によっては、セルスタック内に３系統のガス流路が形成されることになるために以下の点が問題となる。
【０００７】
（１）ガス流路によってセル板の面上における発電部分の有効面積が減るため、セルスタック内での実効的な発電部分が減少し、発電効率が低下する。
【０００８】
（２）セルユニットの中心部に配設されたガスマニホールド内に、酸化ガス用の配管と燃料ガス用の配管とを共に配設しているが、これらの配管は、互いを確実にシールする必要があるため、マニホールドの構造が複雑になる。そのため、洩れが発生したり、コストが高くなる。
【０００９】
そこで、本発明は、セル板の面上における酸化ガス又は燃料ガスの流れをセル板全体で均一にして有効な発電面積を向上させる燃料電池を提供することを目的としている。
【００１０】
【課題を解決するための手段】
前記目的を達成するために、本発明は、板状電解質の両面側に空気極と燃料極がそれぞれ設けられたセル板を板厚方向に所定の間隙を隔てて積層したセルスタックと、該セルスタックの側方に配設され、前記セル板の電極に向けて第１ガスを供給する第１ガスの供給手段と、これらのセルスタック及び第１ガスの供給手段を収納する収納容器とを備え、前記セル板の空気極又は燃料極のいずれか一方の電極が面する間隙は、収納容器内の雰囲気に連通した開放構造に形成され、この開放された間隙に前記第１ガスの供給手段から第１ガスを吹き付けるように構成する一方、前記セルスタックの内部に、収納容器内の雰囲気から遮断された第２ガスの供給流路及び排出流路を形成した燃料電池であって、
前記第１ガスを酸化ガス又は燃料ガスのいずれか一方のガスとし、第２ガスをいずれか他方のガスとすることにより、第１ガスの流路と第２ガスの流路を分けている。
【００１１】
【発明の効果】
本発明によれば、セル板の面上におけるガスの流れの均一性が向上し、セル板の面内及びセルスタック内における温度の不均一が緩和できる。また、収納容器の外部からセルスタックへ接続するガス配管を燃料ガス又は酸化ガスのいずれか一方のみの供給用と排気用のみに限定すれば、接続部が減り、ガスシールの信頼性が向上するとともにセルスタックを強固に拘束する部分が減るためセルスタックにかかる応力を軽減できる。
【００１２】
【発明の実施の形態】
以下、本発明の実施形態を図面に基づき説明する。
【００１３】
[第１の実施形態]
図１〜図７を用いて第1の実施形態による燃料電池モジュールを説明する。本実施形態による燃料電池モジュール１０は、矩形状の平行平板型の固体電解質型燃料電池に適用できる。
【００１４】
図１は本実施形態における燃料電池モジュール１０の斜視図であり、ケース１１の内部を明瞭にするためにケース１１の一部を切り欠いて示している。燃料電池モジュール１０は、ケース底部１２の上に所定の間隔を隔てて配設された６個のセルスタック１３と、これらの各セルスタック１３に酸化ガスとしての空気１４を供給する酸化ガス供給ユニット１６と、該酸化ガス供給ユニット１６に接続された酸化ガス供給管１５と、各セルスタック１３において発電に供された空気１４を排出する酸化ガス排出管１７と、これらのセルスタック１３、酸化ガス供給管１５を収容するケース１１とから構成されている。また、ケース底部１２には、各セルスタック１３に燃料ガス１８を供給する燃料ガス供給管１９と、各セルスタック１３において発電に供された反応生成ガスと未燃ガスとの混合ガス５０を排出する燃料ガス排出管２０とが埋設されている。
【００１５】
前記セルスタック１３は、図２に示すように、矩形状の単セルユニット２１をその板厚方向に積層させることによって外形が略直方体状に形成されており、一つの単セルユニット２１内には、間隙２２が形成されている。また、セルスタック１３の側方には、酸化ガス供給ユニット１６が配設されており、図示しないノズルによって前記間隙２２内に空気１４を供給するように構成されている。
【００１６】
次に、図３及び図４を用いて、単セルユニット２１の構造を説明する。
【００１７】
図３は、単セルユニット２１の分解斜視図であり、前述したように、この単セルユニット２１を上下方向に複数積層させることによって、一つのセルスタック１３を構成している。単セルユニット２１は、上側に配設された上側セパレータ２３と、下側に配設された下側セパレータ２４と、これらの上側セパレータ２３及び下側セパレータ２４によって挟持されたセル板２５とから構成されている。
【００１８】
前記上側セパレータ２３は、一枚の矩形状のプレート２６と、該プレート２６の左右両端部の下面側に取り付けられた細長いスペーサー２７とから構成されている。また、上側セパレータ２３の両端部には、プレート２６及びスペーサー２７を貫通する矩形状の燃料ガス供給流路２８と燃料ガス排出流路２９が穿設されている。前記燃料ガス供給流路２８から上方に向かう燃料ガス１８は、分岐して上側セパレータ２３の上面側を流れて、燃料ガス供給流路２８から下方に排出される。前記上側セパレータ２３は燃料ガス１８と酸化ガスである空気１４を分離してクロスリークを防止する作用と、単電池同士を電気的に直列に接続する作用を有する。
【００１９】
そして、セル板２５は、図４に示すように、板厚方向の中央部に配置された電解質３０と、該電解質３０の両面側に設けられた空気極３１及び燃料極３２と、空気極３１の上側及び燃料極３２の下側に配置された、集電を効率的に行うための金属メッシュ３３，３４とから構成されている。前記電解質３０の中央部の両面側には、凹部３５，３６が形成されており、該凹部３５，３６に前記空気極３１及び燃料極３２が設けられているため、空気極３１の上面と電解質３０の上面、及び燃料極３２の下面と電解質３０の下面とは面一になるように形成されている。前記電解質３０は、固体酸化物型電解質であり、例えばイットリア安定化ジルコニウム（ＹＳＺ）から形成されている。
【００２０】
さらに、電解質３０の左右両端部にも、矩形状の燃料ガス供給流路２８及び燃料ガス排出流路２９が上下方向に貫通して穿設されている。そして、下側セパレータ２４は、外形が矩形状で、内方がくり抜かれて開口部３９に形成されている。また、左右両端部に形成された切欠き３７，３８は、上側セパレータ２３とセル板２５に形成された燃料ガス供給流路２８、燃料ガス排出流路２９にそれぞれ連通するように構成されている。そして、下側セパレータ２４においては、燃料ガス供給流路２８を構成する切欠き３７内部を上昇する燃料ガス１８が、開口部３９内を流通して燃料ガス排出流路２９を構成する切欠き３８に流れるように構成されている。なお、図２に示すように、セルスタック１３の最上段と最下段にはエンドプレート４０，４１が配設されている。さらに、前記上側セパレータ２３と下側セパレータ２４は導電性酸化物、例えばストロンチウムドープランタンクロマイトを加圧成型し空気中で焼成して得た焼結体、又は、ＮｉやＮｉ基合金等の耐熱性金属で作製することができる。
【００２１】
前記構成を有する燃料電池モジュール１０における燃料ガス１８と空気１４の流れを簡単に説明する。図５は、燃料電池モジュール１０のケース底部１２の内部における燃料ガスの流れ方向を示す概略図である。前述したように、ケース底部１２には、各セルスタック１３に燃料ガス１８を供給する燃料ガス供給管１９が配設されている。この燃料ガス供給管１９は、図５に示すように、セルスタック１３ａ〜１３ｃの下側をつなぐように直線状に延びる主要配管４２と、該主要配管４２から分岐して、セルスタック１３ｄ〜１３ｆに向けて屈曲する分岐管４３，４４，４５とから構成されている。
【００２２】
また、燃料ガス排出管２０は、主要配管４６と該主要配管４６から分岐する分岐管４７〜４９とから構成されている。
【００２３】
前記燃料ガス１８は、主要配管４２から、まず、セルスタック１３ａに送られる。該セルスタック１３ａにおいては、図６に示すように、前記燃料ガス供給流路２８（図３参照）を上方に流れながら、その一部が各々の単セルユニット２１に形成された開口部３９内（図３参照）を横方向に流れる。ここで、燃料ガス１８は酸化反応を起こし、燃料ガス１８が純水素の場合は水蒸気（Ｈ２Ｏ）、燃料ガス１８が炭化水素の場合は、水蒸気（Ｈ２Ｏ）、二酸化炭素（ＣＯ２）という反応生成ガスになる。反応生成ガスは、残った未燃ガスと混合されて混合ガス５０となり、前記燃料ガス排出流路２９（図３参照）内を下方に流れ、ケース底部１２の分岐管４７に流れる。こののち、ケース底部１２の燃料ガス排出管５０を通じてケース１１の外部へ排出される。
【００２４】
次いで、図７を用いて、空気１４の流れを説明する。まず、酸化ガス供給管１５に送られた空気１４は酸化ガス供給ユニット１６を介して各セルスタック１３に供給される。セルスタック１３においては、図２にて説明したように、単セルユニット２１の間隙２２内に空気１４が吹き付けられる。図２に示すセルスタック１３の側面のうち、酸化ガス供給ユニット１６が配設されていない方の側面は、間隙２２が開放した構成となっているため、空気１４はスムーズに流れる。こののち、図７に示すように、空気１４はケース１１の内部に放出されたのち、酸化ガス排出管１７を介してケース１１の外部に排出される。
【００２５】
このように、ガスシールについても、酸化ガスである空気１４と燃料ガス１８の一方のガスについてのみシールをすればいいため、配管構造が非常に単純になる。
【００２６】
[第２の実施形態]
次いで、図８〜図１２を用いて第２の実施形態による燃料電池を説明するが、前記第１の実施形態と同一部位については、同一符号を用いて説明を一部省略する。
【００２７】
本実施形態においては、円盤状の平行平板型の単セルユニット１２１をその板厚方向に積層させることによって、セルスタック１１３を略円柱状に形成している。
【００２８】
図８は本実施形態によるセルスタック１１３と酸化ガス供給ユニット１１６を示す斜視図、図９は図８の単セルユニット１２１を示す斜視図、図１０は図９のＢ−Ｂ線による断面図であり、燃料ガス１１８及び排出される混合ガス１５０の流れ状態を示している。また、図１１及び図１２は第２実施形態によるセルスタック１１３の内部における酸化ガス１１４の流れ状態を示す概略図であり、図１１はセルスタック１１３と酸化ガス供給ユニット１１６を側面から見た図、図１２は単セルユニット１２１を上方から見た図である。なお、図１３は円状に形成された整流板１３３を複数設けた単セルユニットの上面における燃料ガス１１８と混合ガス１５０の流れを示す概略図である。
【００２９】
図８に示すように、セルスタック１１３は複数の単セルユニット１２１をその板厚方向に一定の間隙１２２を隔てて積層したものであり、第1の実施形態の場合と同様に図示しないケース内に設置されている。また、セルスタック１１３の下部で燃料ガス供給管及び燃料ガス排出管（ともに図示せず）に接続されている。さらに、セルスタック１１３の側方には酸化ガス供給ユニット１１６が設けられ、該酸化ガス供給ユニット１１６のノズル１１５からは、空気極が設けられた単セルユニット１２１の表面上に向けて空気１１４を吹き出すように構成されている。
【００３０】
前記単セルユニット１２１は、図９と図１０に示すように、円盤状に形成されており、中央部に上下方向に延びる燃料ガスマニホールド１２３が延設されている。この燃料ガスマニホールド１２３の内部には、円筒状の２重配管である燃料ガス供給流路１２８と燃料ガス排出流路１２９が収納されている。また、単セルユニット１２１は、図１０に示すように、中央部が円状にくり抜かれたドーナツ形状のセル板１２５とセパレータ１２４とを上下に間隔を隔てて配置し、その周囲を覆うことによって、内部に燃料ガス流路１２７が形成されている。さらに、前記燃料ガス供給流路１２８内は、燃料ガス１１８が上方に向けて流れるように構成され、燃料ガス排出流路１２９内には、発電に供された反応生成ガスと未燃ガスとの混合ガス１５０が下方に流れるように構成されている。なお、セル板１２５の上面は、空気極面１２０（図１０参照）に形成されている。
【００３１】
次いで、本実施形態におけるガスの流れを説明する。
【００３２】
まず、図１１に示すように、セルスタック１１３の下部から燃料ガスマニホールド１２３内の燃料ガス供給流路１２８内に送給された燃料ガス１１８（破線で示す）は燃料ガス供給流路１２８内を上方に流れながら、開口部１３０から単セルユニット１２１の燃料ガス流路１２７内部に流れる。この燃料ガス流路１２７内部において、燃料ガス１１８は酸化反応をしたのち、混合ガス１５０は開口部１３１から燃料ガス排出流路１２９に流れて下方に流れ、セルスタック１１３の外部に排出される。
【００３３】
一方、空気１１４は、図１１に示すように、酸化ガス供給ユニット１１６のノズル１１５から、上下に隣接する単セルユニット１２１，１２１の間に形成された間隙１２２に空気１１４が吹き込まれる。この間隙１２２は、その側面の全方位が開放されているため、図１２に示すように、燃料ガスマニホールド１２３を回り込むようにしながら、妨げられることなく自由にセル板１２５の表面に形成された空気極面１２０を拡散しながら流れる。
【００３４】
本実施形態においては、円筒状のセルスタック１１３の中心部内に配設された燃料ガス供給流路１２８及び燃料ガス排出流路１２９を用いて燃料ガス１１８の導入及び排出を行う一方、単セルユニット１２１，１２１同士の間隙１２２の側方の全方位側を開放してケース（図示せず）内の雰囲気に連通させ、セル板１２５の空気極面１２０上にノズル１１５から空気１１４を吹き込むように構成している。
【００３５】
このため、セルスタック１１３内の燃料ガスマニホールド１２３内に収納する配管の数を削減し、セル板１２５の大きさに対して電池セル部の大きさをより大きくとることによって発電有効面積率を向上させることができ、出力の向上を図ることができる。
【００３６】
具体的には、矩形状のセル板においては、セル板の周縁部が発電に寄与しないエリアになってしまうことが多いが、本実施形態で説明したような円形セルにおいては、図１２に示すように、前記矩形状のセル板に比べてセル板１２５の周辺部も発電に寄与するため、発電有効面積が矩形状のセル板よりも大きくなる。従って、セルスタック１１３の側方に酸化ガス供給ユニット１１６を配設しても、発電有効エリアを損なうことはない。また、セルスタック１１３内の流路を燃料ガス供給流路１２８と燃料ガス排出流路１２９のみにできるため、配管構造が非常に簡単になり、製造コストの削減が図れる。さらに、酸化ガスの供給流路と燃料ガス１１８の供給流路とを、別々の経路に配設したため、酸化ガスである空気１１４と燃料ガス１１８とが混合されるおそれがなく、燃料電池設備としての信頼性が向上する。
【００３７】
なお、図１３に示すように、単セルユニットの表面側に円状に形成された整流板１３３を複数設けることによって、燃料ガス１１８がセル板全体に効率的に流れるようにすることができる。
【００３８】
前記整流板１３３を配設した単セルユニットによれば、燃料ガス供給流路１２８から送給された燃料ガス１１８は、整流板１３３の開口部１３４から流れ込み、整流板１３３に沿って円状にセル板上を流れて発電に供されたのち、未燃ガス１５０は、開口部１３５から燃料ガス排出流路１２９内に流れ込む。
【００３９】
[第３の実施形態]
次いで、図１４を用いて第３の実施形態による燃料電池を説明するが、前記第１及び第２の実施形態と同一部位については、同一符号を用いて説明を一部省略する。
【００４０】
前記第１及び第２の実施形態では、酸化ガス供給ユニット１１６を一つ配設し、セルスタック１３，１１３の側方に１方向から空気１４，１１４を吹き付けるようにしたが、図１４に示すように、第３の実施形態においては２方向から空気２１４を吹き付ける。
【００４１】
同図に示すように、酸化ガス供給ユニット２１６，２１６を単セルユニット２２１を挟んで互いに対向させ、これらの酸化ガス供給ユニット２１６，２１６から単セルユニット２２１の中心部に向けて空気２１４を吹きつけている。
【００４２】
本実施形態によれば、第１及び第２の実施形態よりも、酸化ガスである酸素がセル板の全体に均等に供給される。
【００４３】
[第４の実施形態]
次いで、図１５を用いて第４の実施形態による燃料電池を説明するが、前述した実施形態と同一部位については、同一符号を用いて説明を一部省略する。
【００４４】
本実施形態においては、同図に示すように、酸化ガス供給ユニット３１６，３１６を単セルユニット３２１を挟んで互いに対向させて配置すると共に、酸化ガス供給ユニット３１６，３１６の配設する向きをセル板の中心部からずらせることによって、単セルユニット３２１の中心から若干ずれた方向に空気３１４を吹き付けるように構成している。なお、このずらせる方向は、同図における中心線Ｌと吹付方向Ｄとのなす角θが０°〜４５°の範囲であることが好ましく、酸化ガス供給ユニット３１６，３１６を斜めに傾ける方向も同一回転方向側にすることが好ましい。例えば、図１５のように、一方の酸化ガス供給ユニット３１６を時計方向に傾けた場合は、他方の酸化ガス供給ユニット３１６も同じ時計方向に傾けて配設する。これによって空気３１４はセル板の表面に形成された燃料極上で渦巻状の流れになり、セル板表面に均一に供給される。
【００４５】
[第５の実施形態]
次いで、図１６を用いて第５の実施形態による燃料電池を説明するが、前述した実施形態と同一部位については、同一符号を用いて説明を一部省略する。
【００４６】
本実施形態においては、単セルユニット４２１の周囲に各々の酸化ガス供給ユニット４１６が互いに同一間隔をおいて４つ配設されている。即ち、単セルユニット４２１を挟んで一方の２つの酸化ガス供給ユニット４１６，４１６が対向して設けられ、かつ、他方の２つの酸化ガス供給ユニット４１６，４１６も対向して設けられており、これら一方と他方の酸化ガス供給ユニット４１６，４１６同士は互いに直交する位置に配置されている。
【００４７】
本実施形態によれば、空気４１４の流れが均一化され、配管内での圧損を減らすことができ、より多くの空気の供給が可能となる
前記第３〜第５の実施形態において、空気２１４，３１４，４１４の流れが１方向でないため、空気流れの分布の均一化がはかれ、結果的に発電反応も均一になることから、温度分布の偏りが防止できる。
【００４８】
さらに、図１７から図１９に、燃料電池モジュール全体に対する第２、第３及び第５の実施形態による酸化ガス供給ユニット１１６，２１６，４１６の配設位置を説明する。
【００４９】
図１７は、第２実施形態による空気１１４を供給する場合における酸化ガス供給管５１５と酸化ガス供給ユニット１１６の配設位置を示している。燃料電池モジュール全体の中心部を直線状に延びる１本の酸化ガス供給管５１５から分岐して酸化ガス供給ユニット１１６が６つのセルスタックに向けて延びている。
【００５０】
また、図１８は第３の実施形態による空気２１４を供給する場合における酸化ガス供給管６１５と酸化ガス供給ユニット２１６の配設位置を示している。直線状に延びる２本の酸化ガス供給管６１５から分岐して酸化ガス供給ユニット２１６が各セルスタックに向けて延びている。
【００５１】
そして、図１９は第５の実施形態による空気４１４を供給する場合における酸化ガス供給管７１５と酸化ガス供給ユニット４１６の配設位置を示している。直線状に延びる２本の酸化ガス供給管７１５から分岐して酸化ガス供給ユニット４１６が各セルスタックに向けて延びている。
【００５２】
以上述べたように、本発明に係る燃料電池は前記実施形態に例をとって説明したが、本発明はこれらの各実施形態に限定されるものではなく、本発明の要旨を逸脱しない範囲で他の実施形態を採用することができる。
【００５３】
例えば、第２〜第５の実施形態においては、円形のセル板の場合について説明したが、セル板の形状はこの円形に限定されるものではなく、四角形、長方形、楕円形等の他の形状でも適用可能なことは明らかである。
【００５４】
また、前記第１から第５の実施形態では、燃料ガス１８，１１８をセルスタック１３，１１３内を通して外気と遮断して流通させる一方、酸化ガスである空気１４，１１４，２１４，３１４，４１４を外気と連通する開放構造の空気極側に供給している。しかし、本発明は、これに限定されるものではなく、酸化ガスである酸素をセルスタック内に外気と遮断して流通させる一方、燃料ガスをケース内の雰囲気と連通する開放構造の燃料極に供給及び排気するようにしても同様の効果が得られる。さらに、前記実施形態においては、全て固体酸化物電解質を用いた固体酸化物型燃料電池を例にして述べたが、固体高分子型電解質を用いた固体高分子型においても適応可能なのは言うまでもない。
【００５５】
さらに、前記実施形態においては、内部マニホールドタイプについてのみ説明したが、外部マニホールドタイプに本発明に係るガスの供給流路及び排出流路を適応することももちろん可能である。これにより、内部マニホールドタイプと同様に燃料電池モジュール内での発電に供される有効部分の割合が上昇して出力が向上する。
【図面の簡単な説明】
【図１】第１の実施形態における燃料電池モジュールの斜視図である。
【図２】図１のセルスタックを示す斜視図である。
【図３】図２の単セルユニットの分解斜視図である。
【図４】図３のＡ−Ａ線による断面図である。
【図５】第１の実施形態による燃料電池モジュール内における燃料ガスの流れを示す概略図である。
【図６】第１の実施形態によるセルスタック内における燃料ガスの流れを示す概略図である。
【図７】第１の実施形態による燃料電池モジュール内における空気の流れを示す概略図である。
【図８】第２の実施形態によるセルスタックと酸化ガス供給ユニットを示す斜視図である。
【図９】図８の単セルユニットを示す斜視図である。
【図１０】図９のＢ−Ｂ線による断面図である。
【図１１】第２の実施形態による燃料電池モジュール内における燃料ガスと空気の流れを示す概略図である。
【図１２】第２の実施形態による単セルユニット上の空気の流れを示す概略図である。図である。
【図１３】整流板を設けた単セルユニット上における燃料ガスの流れを示す概略図である。
【図１４】第３の実施形態の単セルユニット上における空気の流れを示す概略図である。
【図１５】第４の実施形態の単セルユニット上における空気の流れを示す概略図である。
【図１６】第５の実施形態の単セルユニット上における空気の流れを示す概略図である。
【図１７】第２の実施形態による燃料電池モジュール全体における空気の流れを示す概略図である。
【図１８】第３の実施形態による燃料電池モジュール全体における空気の流れを示す概略図である。
【図１９】第５の実施形態による燃料電池モジュール全体における空気の流れを示す概略図である。
【符号の説明】
１１  ケース（収納容器）
１３，１１３  セルスタック
１４，１１４，２１４，３１４，４１４  空気（酸化ガス）
１６，１１６，２１６，３１６，４１６  酸化ガス供給ユニット（第１ガスの供給手段）
１８，１１８  燃料ガス
２２，１２２  間隙
２５，１２５  セル板
２８，１２８  燃料ガス供給流路（第２ガスの供給流路）
２９，１２９  燃料ガス排出流路（第２ガスの排出流路）
３０  電解質
３１  空気極
３２  燃料極
【図１】
2004207023.tif 000003
【図２】
2004207023.tif 000004
【図３】
2004207023.tif 000005
【図４】
2004207023.tif 000006
【図５】
2004207023.tif 000007
【図６】
2004207023.tif 000008
【図７】
2004207023.tif 000009
【図８】
2004207023.tif 000010
【図９】
2004207023.tif 000011
【図１０】
2004207023.tif 000012
【図１１】
2004207023.tif 000013
【図１２】
2004207023.tif 000014
【図１３】
2004207023.tif 000015
【図１４】
2004207023.tif 000016
【図１５】
2004207023.tif 000017
【図１６】
2004207023.tif 000018
【図１７】
2004207023.tif 000019
【図１８】
2004207023.tif 000020
【図１９】
2004207023.tif 000021